(57)【特許請求の範囲】
【請求項１】
部品またはそれに類似するものに付され、前記部品またはそれに類似するものに関する複数の内容が記録されることが可能であって、必要に応じて随時に前記複数の内容の書込みまたは読取りを行える識別票であり、
異なるカラーで示されかつカラー〜オブジェクト変換表によって前記複数の内容に対応づけられた複数のカラー要素が表記され、前記複数のカラー要素は、前記複数の内容の書込みまたは読取りを行うための情報記録媒体として用いられ、
前記複数のカラー要素の各々は、前記複数の内容に対応させる前記カラー〜オブジェクト変換表に基づく変換を行う識別手段で読み取られ、記録された前記複数の内容が前記カラー〜オブジェクト変換表に基づいて認識される、
ことを特徴とする識別票。
【請求項２】
前記複数のカラー要素に基づき、前記部品またはそれに類似するものに関する識別、判別、検査、検索、トレーサビリティーが行われることを特徴とする請求項１記載の識別票。
【請求項３】
前記複数のカラー要素を用いて、前記部品またはそれに類似するものに関する製造の工程の管理、製造装置の制御が行われることを特徴とする請求項１記載の識別票。
【請求項４】
前記部品またはそれに類似するものはプリント基板に搭載されるチップ部品であり、このチップ部品の狭小なスペースに前記複数のカラー要素が表記されることを特徴とする請求項１記載の識別票。
【請求項５】
前記チップ部品の包装や被覆に使用されるトップテープ、その他のテープ、カセットに前記複数のカラー要素に係る表記物が付され、この表記物が前記チップ部品の識別と管理に利用されることを特徴とする請求項４記載の識別票。
【請求項６】
前記複数の内容は、前記部品またはそれに類似するものに関する使用量、残数、交換時期、棚卸、生産の開始・終了のサインまたはその他の情報であることを特徴とする請求項１記載の識別票。
【請求項７】
前記複数の内容は、必要に応じて各種工程の段階でリアルタイムに記録され、データ・情報の集計・記録・伝達・通信によって、前記部品またはそれに類似するもの、および工程の管理・制御、品質管理、棚卸、コスト管理に利用されることを特徴とする請求項６記載の識別票。
【請求項８】
前記部品またはそれに類似するものがプリント基板に搭載されるチップ部品であるとき、前記プリント基板の判別・検査に基づき、前記プリント基板の仕様、製造年月日、メーカー名、製造番号、および前記チップ部品の製造番号、工場名、ラインの製造時間、担当者を含む任意の情報をリサーチ可能にしたことを特徴とする請求項６または７記載の識別票。
【請求項９】
前記複数のカラー要素は、前記内容が割り当てられているカラー要素と前記内容が割り当てられていないカラー要素を含み、内容が割り当てられていない前記カラー要素に対しては工程の途中段階で必要な内容が前記カラー〜オブジェクト変換表に基づき割り当てられることを特徴とする請求項１記載の識別票。
【請求項１０】
前記工程は組付け工程であり、前記割り当てられる内容は組付けライン担当者、組付け年月日と時分を含むものであることを特徴とする請求項９記載の識別票。
【請求項１１】
複数の内容の書込みまたは読取りを行うための情報記録媒体として用いられかつ異なるカラーで示されかつカラー〜オブジェクト変換表によって前記複数の内容に対応づけられた複数のカラー要素が表記され、前記複数のカラー要素を用いて必要に応じて随時に前記複数の内容の書込みまたは読取りを行える識別票が付され、
前記複数のカラー要素の各々は、前記複数の内容に対応させる前記カラー〜オブジェクト変換表に基づく変換を行う識別手段で読み取られ、記録された前記複数の内容が前記カラー〜オブジェクト変換表に基づいて認識される、
ことを特徴とする識別物。
【請求項１２】
前記識別票に基づき、識別、判別、検査、検索、トレーサビリティーが行われることを特徴とする請求項１１記載の識別物。
【請求項１３】
前記識別票を用いて、製造工程や製造の管理、製造装置の制御が行われることを特徴とする請求項１１記載の識別物。
【請求項１４】
請求の範囲第１１項において、狭小なスペースに前記識別票が付されることを特徴とする請求項１１記載の識別物。
【請求項１５】
前記複数の内容は、使用量、残数、交換時期、棚卸、生産の開始・終了のサインまたはその他の情報であることを特徴とする請求項１１記載の識別物。
【請求項１６】
前記複数の内容は、必要に応じて各種工程の段階でリアルタイムに記録され、データ・情報の集計・記録・伝達・通信によって、前記部品またはそれに類似するもの、および工程の管理・制御、品質管理、棚卸、コスト管理に利用されることを特徴とする請求項１５記載の識別物。
【請求項１７】
前記識別票における前記複数のカラー要素は、前記内容が割り当てられているカラー要素と前記内容が割り当てられていないカラー要素を含み、内容が割り当てられていない前記カラー要素に対しては工程の途中段階で必要な内容が割り当てられることを特徴とする請求項１１記載の識別物。
【請求項１８】
前記工程は組付け工程であり、前記割り当てられる内容は組付けライン担当者、組付け年月日と時分を含むものであることを特徴とする請求項１７記載の識別物。
【発明の詳細な説明】
技術分野
本発明は、産業分野で取り扱う製品や部品等の事物の製造履歴等の内容の記録・表示に適した識別票、および当該識別票が付された識別物に関する。識別票および識別物によって、製品や部品等の内容の記録、再生、管理等を効率的に正確に行い、製造工程における不良発生源（製造ラインや製造装置等）を即時に特定でき、円滑な工程管理および構成制御を可能にする。
背景技術
製品や部品等の仕様等の内容を記録する方法には、例えば、抵抗器に使用されるカラーコード（０〜９の数を一定のカラーで代用する例）、バーコード、２次元コード、その他のドットの組み合わせコード、インタクタコード（登録商標）などがある。
製品や部品等の表面上のスペースに従来のバーコード等を利用して上記内容を記録するには、部品の多様化（記録情報量の増大）と部品の極小化（記録スペースの減少）に起因して困難な状況にある。
さらに製品、部品、プリント基板等で内容記録を行う場合において、識別または判別、検査、検索、追跡（トレーサビリティー）の観点から、詳細な製造経歴の記録を行えることが必要とされる。当該記録に基づけば経歴を検索することができる。このような詳細な製造経歴の記録を行うためには、従来の記録方法によれば、比較的に広いスペースが必要である。既存の製品等では、最低限必要とされるスペースも存在しない状態で、上記のような内容記録の表示が要求される例が多くある。従来の記録方法で、上記の内容記録を行うことは極めて困難である。
さらに従来のバーコード等では、例えば製品の製造の各段階で必要な情報を書き込むことは、その特性上で困難であった。製品に付されたコードそのものに自由な記録を行うことは、システム上非常に困難であった。
また従来技術として特開平３−２２９４９７号公報に開示される「印刷基板の識別記号記録方法及び識別記号の読み取り方法とその応用装置」がある。この従来技術は、限られた少ないスペースを有する印刷基板において、当該スペースに多量の識別情報を記録することできる方法等を提案している。上記公報の第２図には代表的な実施例としての識別記号が示されている。この識別記号では、大小の方形パターンを組み合せ、かつ簡単ないくつかの色を付して作られている。
また本出願人は、先に、国際公開番号ＷＯ００／７２２２８号で公開された国際出願においてカラーを情報の記録媒体として利用しかつコンピュータでの情報変換あるいは情報管理等のシステムを実現することについての提案（以下、提案されたカラーあるいはこれを利用するシステムを、「既提案カラー」あるいは「既提案カラーシステム」と記す）を行った。この既提案カラーを利用した記録方法の応用を考えることにより上記の内容記録を行うことが可能となる。
本発明の目的は、上記の課題を解決することにあり、製品、部品、プリント基板等の事物における狭小なスペースを利用して詳細な製造経歴等の大量情報の内容を必要に応じて随時に記録しかつ表示することができ、製品等の製造履歴等に関するトレーサビリティー（追跡性）を可能にすることを企図した識別票、およびこの識別票が付された識別物を提供することにある。
発明の開示
本発明に係る識別票および識別物は、次の通り構成される。
本発明に係る識別票は、部品またはそれに類似するものに付され、部品またはそれに類似するものに関する複数の内容が記録される識別票であり、複数の内容のそれぞれに対応する、異なるカラーで示された複数のカラー要素が表記され、複数のカラー要素の各々は、複数の内容に対応させる変換を行う識別手段で読み取られ、記録された前記複数の内容が認識される、ように構成される。
上記の識別票において、複数のカラー要素に基づき、部品またはそれに類似するものに関する識別、判別、検査、検索、トレーサビリティーが行われる。
上記の識別票において、複数のカラー要素を用いて、部品またはそれに類似するものに関する製造の工程の管理、製造装置の制御が行われる。
上記の識別票において、部品またはそれに類似するものはプリント基板に搭載されるチップ部品であり、このチップ部品の狭小なスペースに複数のカラー要素が表記される。
上記の識別票において、チップ部品の包装や被覆に使用されるトップテープ、その他のテープ、カセットに複数のカラー要素に係る表記物が付され、この表記物がチップ部品の識別と管理に利用される。
上記の識別票において、複数の内容は、部品またはそれに類似するものに関する使用量、残数、交換時期、棚卸、生産の開始・終了のサインまたはその他の情報であるように構成される。
上記の識別票において、複数の内容は、必要に応じて各種工程の段階でリアルタイムに記録され、データ・情報の集計・記録・伝達・通信によって、部品またはそれに類似するもの、および工程の管理・制御、品質管理、棚卸、コスト管理に利用される。
上記の識別票において、部品またはそれに類似するものがプリント基板に搭載されるチップ部品であるとき、プリント基板の判別・検査に基づき、プリント基板の仕様、製造年月日、メーカー名、製造番号、およびチップ部品の製造番号、工場名、ラインの製造時間、担当者を含む任意の情報をリサーチ可能にした。
上記の識別票において、複数のカラー要素は、内容が割り当てられているカラー要素と内容が割り当てられていないカラー要素を含み、内容が割り当てられていないカラー要素に対しては工程の途中段階で必要な内容が割り当てられる。
上記の識別票において、上記工程は組付け工程であり、割り当てられる内容は組付けライン担当者、組付け年月日と時分を含むものである。
本発明に係る識別物は、複数の内容のそれぞれに対応する、異なるカラーで示された複数のカラー要素が表記されることにより、複数の内容が記録される識別票が付され、複数のカラー要素の各々は、複数の内容に対応させる変換を行う識別手段で読み取られ、記録された複数の内容が認識される、ように構成される。
上記の識別物において、識別票に基づき、識別、判別、検査、検索、トレーサビリティーが行われる。
上記の識別物において、識別票を用いて、製造工程や製造装置の制御・管理が行われる。
上記の識別物において、狭小なスペースに上記識別票が付される。
上記の識別物において、複数の内容は、使用量、残数、交換時期、棚卸、生産の開始・終了のサインまたはその他の情報である。
上記の識別物において、複数の内容は、必要に応じて各種工程の段階でリアルタイムに記録され、データ・情報の集計・記録・伝達・通信によって、部品またはそれに類似するもの、および工程の管理・制御、品質管理、棚卸、コスト管理に利用される。
上記の識別物において、識別票における複数のカラー要素は、内容が割り当てられているカラー要素と内容が割り当てられていないカラー要素を含み、内容が割り当てられていないカラー要素に対しては工程の途中段階で必要な内容が割り当てられる。
上記の識別物において、工程は組付け工程であり、割り当てられる内容は組付けライン担当者、組付け年月日と時分を含むものである。
前述した本発明に係る識別票および識別物では、既提案カラーに関する構成に基づく複数のカラー要素（カラードット等）やこれに関連する変換に用いられるカラーコードを利用することによって、部品およびこれに類似するもの（製品等）における記録の困難な狭小なスペースに必要な複数の内容を記録することを可能にする。
既提案カラーに関する構成に基づく複数のカラー要素に類似するその他のカラーや極細構成のバーコードを用いることもできる。
上記の「識別票」とは、複数のカラー要素の表記物であり、記録の困難なスペースに内容を記録し、必要な時にコンピュータシステムと組み合せて随時に情報の読取り、情報の書込みを行うことができ、さらに当該内容に対応して必要な変換を行うことができる対象をいう。
識別票としては、主にカラードットであり、その他にカラーストライプ（バーコード状のもの、異なる間隔の細線の組合せなど）である。
また上記の「識別物」とは、識別票が印刷または貼付等によって付された事物である。識別物の例としては、製品や部品、具体的には、チップ部品、リール、搭載テープ、トップテープ、プリント基板などである。
識別物ごとについて識別票に記録される特有の事項は次の通りである。
チップ部品の場合は、部品種別を表す定数、テープ上の順番、メーカ製造番号等の部品詳細、例えばコンデンサの極性表示等である。リールの場合は、トップテープの識別票の断片を貼付し、部品の同一性を確認することである。搭載テープの場合は、部品１番から部品最終番まで色違いによる番号付けである。トップテープの場合は、部品種別を表す定数、メーカ製造番号等の部品詳細である。プリント基板の場合は、仕様、製造年月日、メーカ製造番号等である。
識別票、および識別票が付された識別物は、製品や部品等の内容（製造に関連する事項等）の記録、表示、再生、管理等を行い、製造工程における不良発生源（製造ライン、製造装置、作業内容、作業者等）の即時特定に利用され、工程管理および工程制御を可能にする。
前述した本出願人による国際出願で提案されるカラー（色）の有する特性に着目し、カラーをスペースの極めて少ない部位でのデータや情報を表現する媒体として利用する。１ドット当たりのカラーの色種や色差を複数のデータ等に対応させ、カラードットあるいはカラーの塗布とカラーの色差により、対象における表記困難なスペースに情報を記録する。複数のドットを利用することで、記録をより増大させ、情報の記録（または記憶）のスペースの極小化に対応させる。
電気部品の表面実装部品・チップ部品・その他小物部品、例えば水晶発振子、プリント基板、注射液・輸液袋、処方指示票・操作者記録、狭小なもの（宝飾品の裏）など内容を表示できないものが多様に存在する。本発明に係る識別票はこれらに内容認識を可能にする記録を行うことができる。
各種内容の記録が必要とされる表面実装部品・チップ部品・プリント基板、その他の類似した製品や部品について、当該内容の記録が困難であるスペースに、上記内容に対応する変換を可能にする識別手段を用いることにより、例えば前述の既提案カラーを印刷し、当該スペースの箇所に内容に変換可能な対象である既提案カラーを表記する。さらに、かかる識別手段のカラーコードに基づいて、カラー変換を行い、記録内容を認識可能にする。上記の既提案カラーで表記された対象物は「識別票」である。
対象物の識別・判別・検査・検索・トレーサビリティーなど、これらの記録の内容を識別物で必要な時期にその内容を認識可能に、例えばその識別物に施すカラードットなどでその内容に変換可能にする識別手段によりカラーコードに対応する記録内容を認識可能に構成する。
識別手段によって識別可能な微細スペースでのカラーの識別票に基づき、製品や部品等の識別や検査、工程の管理、装置の制御、識別票貼付、印刷装置による作成などを、各単独に、あるいは組み合わせにて行う構成が提供される。
かかる識別手段によってチップ部品の狭いスペースに識別票を付与し、チップ部品を識別物として構成し、さらにこのようなチップ部品を識別手段で識別することに基づき必要とされる管理が行われる。
上記管理は、識別物が部品である場合には、その識別票をベースに、当該部品の種別、定数、個数、使用数、残数、棚卸、製造年月日、会社名、ライン、製作者などの必要な内容を記録可能かつ識別可能に構成する。識別票に基づく上記内容の把握と、部品に関する各種の管理、例えば製品管理、品質管理、その他の必要な管理が行われる。さらに識別対象である部品に関係する諸装置の制御を管理し、統括する。表示、印刷、通信などに必要とされる装置、および工程制御に要する装置は、任意・適宜に構成される。
識別票に基づく複数の部品、これらの部品によるアッセンブリ、これらの部品に関係する各種工程、製造装置の制御に関して、識別票による管理が行われる。
識別物における識別票の貼付や印刷は、貼付装置あるいは印刷装置により行われる。
チップ部品などの識別票による内容表示が可能にし、識別票による当該内容の入出力、識別票または識別物の判別検査を可能にする構成が実現される。
識別票として表示できるように構成された微細バーコードを用いる表示方法、さらにこの微細バーコードによる表示、この表示を可能にする入出力装置による構成が提案される。
上記識別票を前述の既提案カラーを利用してカラーやカラードットにより構成し、この識別票を添付、貼付、印刷し、識別票に基づき部品等の識別や管理が行われる。
チップ部品の包装・被覆するリール用のトップテープ、その他のテープやカセットなどに識別票を付設し、かかる識別票に基づき部品の識別や管理が行われる。
識別票によって、製品や部品等の使用量、残数、交換時期、棚卸、生産の開始・終了のサインや情報のいずれか、あるいはこれらをリアルタイムに記録し、データや情報の集計、記録、伝達、通信などにより製品や部品および工程の管理と制御、品質管理、棚卸、コスト管理を行う。
識別票にもとづき部品の識別、管理を可能にする識別管理装置とかかる情報入出力装置および判別・検査装置からなる構成である。
従来の通常の識別方法および識別装置に代えて、本発明に係る識別票を使用することで識別、管理が行われる。
識別票に基づくチップ部品搭載のプリント基板の判別検査を可能にする検査装置と情報入出力装置が実現される。
識別票によるチップ部品を搭載したプリント基板を構成する。
識別票に基づく製品や部品の識別や管理を利用し、プリント基板に識別票を付することにより、当該プリント基板の判別・検査に基づきチップ部品の製造番号、工場名、ラインの製造時間、担当者など任意の情報をリサーチ可能となる。
既提案カラーを利用した各種のカラーにより識別票を形成し、かかる識別票を通常のスペースを有する部品あるいはプリント基板に付し、これらの識別、管理を可能にする。またプリント基板の仕様、製造年月日、メーカー名、製造番号、あるいはチップ部品の製造番号、工場名、ラインの製造時間、担当者、任意の情報などを任意に選択し、かかる事項の検索可能に構成する。
また本発明は、例えばトップテープの識別シートを作成し貼付して対照や照合、管理に利用する構成を提供する。
発明を実施するための最良の形態
以下に、本発明の実施の形態を図面を参照して説明する。
この実施形態では、主にチップ部品の例を説明する。チップ部品は、一般的に電気製品の表面実装プリント基板に使用される部品である。なお本発明の適用はチップ部品に限られないのは勿論である。
第１図はパーツリールカセットの概観斜視図である。パーツリールカセット１において、パーツリール２では、パーツ搭載テープ４によって多数のチップ部品３０が巻き取られている。多数のチップ部品３０は、一定の間隔でパーツ搭載テープ４の上に搭載され、保護シートとしてのトップテープ５に被覆されて保護されている。チップ部品３０はパール搭載テープ４の上に搭載された状態でパーツリール２に巻き取られている。各チップ部品３０は、パーツ搭載テープ４に形成された収容箇所に収容され、パーツ搭載テープ４の長手方向に一列状態で配置されている。図１で、パーツ搭載テープ４は矢印２０１，２０２に示す方向に移動している状態にある。このパーツ搭載テープ４の移動において、トップテープ５は、部品吸着部位に至る前に、箇所２０３でパーツ搭載テープ４から剥離され、矢印２０４のごとく移動して保護シート巻き取りリール９に巻き取られている。
第１図において、パーツリール２の回転方向は矢印２０５で示され、保護シート巻き取りリール９の回転方向は矢印２０６で示されている。
パーツリール２の外面には、チップ部品３０の明細などの必要事項や仕様について記載した、識別明細書８と識別バーコード７の記録が取り付けられている。チップ部品３０は、おおむね小型でかつ表面面積等が狭小であり、記録スペースがなく、何らの記録もされていない。例えば第６図に示すように、「３２１６」、「１６０８」、「１００５」、「０６０３」などの直方体形状の部品３１，３２，３３は小型化の傾向にある。なお例えば「０６０３」の数字は、部品の所定箇所の寸法（０．６ｍｍ（横）×０．３ｍｍ（縦））を表している。このような「０６０３」のチップ部品の識別票印刷スペースは、半田付け部を除くと、０．１２ｍｍ２程度である。その他の多様な電気部品が使用されるが、いずれも狭小なスペースを有するのものが増えている。かかる部品の個々を識別するにあたって、電気検査によらない判別が望まれる。
使用されるカラードットの直径は例えば３０μｍ程度であり、カラードットでの表示は横６ドット、縦４ドットとして合計２４ドット程度は可能である。１つのカラードットで、直径１００μｍのものから、必要に応じて２４個のカラードットを用いて直径３０μｍのものが利用可能である。
上記のカラードットは、チップ部品３０上の狭小なスペースに十分すぎる記録媒体として使用することができる。こうしてカラーを利用して狭小スペースの記録媒体を活用し、記憶媒体として用いることにする。
またチップ部品３０のトップテープ５上に表示した識別マーク１０１Ｂにカラーを用いる。トップテープ５上の識別マーク１０１Ｂとしては、第６図に示すごときカラードット１０５，１００Ｎ、あるいは第５図に示すごとき帯状または方形状のカラー１０１Ｂ，１０２Ｂが使用される。第５図に示された参照符号１０１Ｂ，１０２Ｂで表されたトップテープ５上の識別票は、チップ部品３０上のカラーと同一のカラーになっており、目視によって認識可能な範囲にて点線、直線、帯線等の任意の形態で形成されている。トップテープ５上の識別票のカラーは、認識上の色差による判別の容易さと、カラーによるメモリの豊富さとの観点で、チップ部品上のドットのカラーの場合と同一に構成する。
上記の識別票はリールカセット製作時にトップテープに貼付される。パーツリールの識別票に従いカラープリンタにより識別票を印刷される。トップテープに直接に印刷しあるいは識別票の印刷物を貼付する。
テープ表面に貼付された識別票を剥離して装着機械の装着部位に貼付し、リール交換時においてリールの同一性確認と交換リールの判別に利用することもできる。
第２図は、パーツ搭載テープ４上にチップ部品３０を搭載してトップテープ５で保護するように形成されたテープ部品の形状の一例を部分的に示す。識別票１０１Ａをパーツ搭載テープ４の上に印刷し、トップテープ５の表面上に識別票１０１Ａと同一カラーの識別票１０１Ｂを印刷している。チップ部品３０に隣接して識別票として用いられるカラーを設けることにより、パーツリール２に巻き取られた多数のチップ部品３０の員数管理が可能となる。パーツ搭載テープ４に印刷された識別票１０１Ａによって部品の１番から最終番まで色違いにより番号付けを行い、またチップ部品３０上のカラードット１０５で各チップ部品の識別が行える。
こうしてパーツ搭載テープ４上のチップ部品３０の使用数、残数などをリアルタイムで管理できる。
第３図は、トップテープ５の上に付される識別票の表示態様の一例を示している。（Ａ）はトップテープ５の長手方向に直交するように識別票１０１Ｂを配した表示態様を示し、（Ｂ）はトップテープ５の長手方向に対して識別票１０２Ｂを斜行に配した表示態様を示し、（Ｃ）はトップテープ５の長手方向に向けて識別票１０３Ｂを並行に配した表示態様を示し、（Ｄ）は識別票１０４Ｂはバーコード状で極細線で並行に配した表示態様を示している。この際、識別票１０１Ｂ，１０２Ｂ，１０３Ｂ，１０４Ｂで使用されるカラーは、チップ部品３０の識別票に使用されるカラーと同一である。トップテープ５の上に付される識別票の形状や態様は任意である。
リール上のカラーは、リール幅は狭いものの長手方向に幅があることから個々の形状を幅の範囲一杯に多様に形成可能であり、その認識は容易である。
第４図は、パーツリール２における識別明細書８が貼付された側面にトップテープ５に付されたものと同一のカラー識別票１０１Ｂを付けた構成を示す。このように、カラー識別テープを剥がしてパーツリールカセット１における装着位置の認識可能位置に貼付することにより、カセット交換時に同一性判別の資料として利用する。
第５図は、剥離または貼付ができるように構成されたカラー識別票を備えて成る２例のトップテープ５を示している。
第６図は、表面実装部品の一例を示すもので、同図における３１，３２，３３は直方体の形状を有するチップ部品であり、抵抗、コンデンサなどである。これらは、前述した「１００５」、「０６０３」などのチップ部品である。チップ部品３１，３３において３１Ａ，３３Ａは半田付け部位を示している。チップ部品３１では狭いスペースに識別票１０５，１００Ｎを印刷している。個々のチップ部品３１，３２，３３において、個別に識別票１０５，１００Ｎを記録媒体として用いて必要な内容を記録する。識別票のドットは、単体でまたは組み合わせにより、記憶媒体として用いられる。
チップ部品３２の上表面に描かれた格子状破線は、ドットの番地による記憶の区分・領域を表し、カラードットを記憶させる媒体としての機能と共に、部品の記録コード、記録媒体としての機能を有する。例えば同一カラーを使用しても番地が異なればそのカラーの持つ記録内容は異なり、同一カラーを多様に利用することができる。チップ部品３３は、パーツ半田部３３Ａが部品の下面側にある例である。
複数のカラードットの個数に基づいてドットカラーの複数の多様な構成が可能である。例えば１個目のドットカラーで部品の定数を記録し、２個目のドットカラーでリール上の順番や使用個数の把握あるいは在庫管理に関する情報を記録し、３個目のドットカラーでメーカ製造番号など部品詳細を記録し、４個目のドットカラーで詳細仕様を記録し、５個目のドットカラーでその他の事項、例えばコンデンサの極性表示を記録する。こうして、複数のドットカラーをいろいろに仕分けて利用することができる。これらは、テープに搭載されるチップ部品にとどまらず、カセットケースによるバラのチップ部品においても同様に適用することができる。また単一のカラードットを用いることによって上記記録内容の総てを記録させるようにすることもできる。これらはスペースにおけるドットの位置とカラーによって構成される。
なお、表面実装部品としては、上記チップ部品３１，３２，３３に限るものではなく、コネクタ、ＩＣ、ＱＦＰ（Ｑｕａｄ  Ｆｌａｔ  Ｐａｃｋａｇｅ）、ＢＧＡ（Ｂａｌｌ  Ｇｒｉｄ  Ａｌｌａｙ）、ＣＳＰ（Ｃｈｉｐ  Ｓｃａｌｅ  Ｐａｃｋａｇｅ）、水晶振動子などがあり、形態的にアキシャル、ラジアル部品などがある。
第７図では、極細線のバーコード１００ｃを示す。これは、極細線によるカラーの代用を表す。
第８図は、第６図に示した直方体のチップ部品３２上に表示されたカラーと記録用の枠体を拡大して示している。このような表示はその他の任意のスペースに表示することが可能である。記録媒体としての機能などは同等である。
第９図は、カラーの表示をドットの代わりに方形や帯状の図形１０５，１００Ｎで行うようにした例である。カラーの表示態様を矩形の面状に形成することにより、実装機での吸着面を平滑にしかつ安定化させ、吸着エラーを回避することが可能である。
第１０図は、識別票に関する表示の入出力、および識別票の表示内容の判別または検査を行う装置の概観図である。製造工程中のプリント基板１３は搬送装置２０７によって搬送された状態にある。プリント基板１３の上には複数のチップ部品が表面実装されている。
第１０図では、当該プリント基板１３に表面実装された１つのチップ部品３０の識別票１００をＣＣＤカメラ１２で撮像している。ＣＣＤカメラ１２で識別票１００を確認して、判別・検査を行い、識別票１００で記録されている情報を認識可能にする。これにより、管理および制御を行うことができ、識別票に対応する内容あるいは必要とされる内容に変換することが可能となる。
識別票１００に関する変換の情報に基づき、在庫管理、品質管理、工程管理などが可能となる。
第１０図で、１１は判別・検査装置である。判別・検査装置１１は、情報の入出力に必要な関連装置１１−２、画像処理機能を備えるモニタ装置１１−３、コンピュータ１１−４を備えている。判別・検査装置１１は、情報入力装置としての機能を有し、識別票１００に基づき、判別による内容の記録、検査記録、仕様詳細を任意に記録・編集する構成を有している。判別・検査装置１１による判別・検査に基づいて、判別・検査で得られた情報で、部品の製造番号、工場名、ラインの製造時間、作業の担当者等の記録内容を明確に調査することができる。プリント基板１３において多種類の複数のチップ部品が混載されており、この混載によって、ＣＣＤカメラ１２は、検出対象であるチップ部品に高低に関して差がある。従ってＣＣＤカメラ１２の倍率は高低に応じて任意に変更されるように構成されている。
また実装機によるチップ部品３０の実装において、Ｚ軸装着の部品の識別票を認識することによって、当該部品、およびその使用工程、使用装置の制御および管理が可能である。これは、例えばプリント基板の場合、その仕様に基づき所定位置に識別されるべきチップ部品を搭載する装置において、Ｚ軸装着の部品の識別票を認識することにより、部品、および使用工程、使用装置の制御および管理を行うことができる。Ｚ軸装着での固定では、チャックを移動する構成が用いられる。または、プリント基板のチップ部品３０の装着をチャックによる把持で行い、実装機のＺ軸の移動を制御し、かつプリント基板のＸＹ軸をＺ軸の部品位置に移動して実装する。またランダムに実装される部品３０のカセットでの装着位置に、装着用ハンドチャックが移動して、当該部品を載置装着する構成なども存在する。
第１１図は、前述したチップ部品以外の識別票が付される物品（識別物）を示す。（Ａ）はその他の一般的な抽象的識別物１４を示し、（Ｂ）は薬液パックまたは薬液キット１５を示し、（Ｃ）はアンプル１６を示す。識別物１４，１５，１６では記録媒体１０５，１００Ｎで識別票が付されている。この記録媒体はカラーで構成されている。
第１２図は識別票を作成するときの流れを示す。識別票出力情報１６１が識別票出力データ処理部１６０に与えられる。識別票出力情報１６１は、例えば、部品の仕様情報、パーツカセットのバーコード、製造仕様書に係る情報、製造経歴書に係る情報などである。識別票出力データ処理部１６０では、識別票出力情報を処理し、識別票出力データ１６２として識別票データ出力部１７０に供給する。識別票データ出力部１７０は、識別票出力データ１６２として識別票１００を出力する。
識別票データ出力部１７０の出力対象は、表面実装部品、例えばチップ部品、貼付するテープ、トップテープへの出力、カセットなどケースへの出力、プリント基板への出力など多様である。また当該出力に関する関係で、事前のカラーに情報を対応させて所定情報をカラーに変換することも対応関係１２１（第１３図に示す）に基づいて構成することができる。
さらにかかる構成によれば、製造工程（製造ライン）等の管理を目的として、例えばプリント基板に予めランダムなカラーを用いて多数のカラードットを識別票として事前に印刷し、その後に製造工程や各種の工程において、任意に情報を記録することに利用できる。この場合、最初の段階では、複数のカラードットについて、その全部に対して記録事項がまったく割り当てられていないか、または、一部に対して記録事項が割り当てていないようにし、その後の製造工程や組み付け工程で、識別票のデータ読取り部でカラードットを読取る際に、読み取ったカラードットに例えば「組付けライン担当者」、「組付け年月日と時分」等を割り付けて、読み取った当該カラードットに対応する記録としてコンピュータで管理するように構成することができる。
第１３図は識別票１００の読み取りと演算処理の流れを示す。
識別票１００に記録されるデータについて、識別票情報１１１を参照することにより、カラー、カラーコード、バーコード読取値などを読取部１１０で検出し、そこに記録された情報を読み取る。これによって、チップ部品の種類、チップ部品の使用量、残量、その他の事項、すなわち識別票データ１１２が読み取られる。読取部１１０で読み取られた識別票データ１１２は識別部１２０に送られる。
識別部１２０は、識別票データを、カラー〜オブジェクト変換表１２１などに基づいて識別する。識別部１２０によれば、かかる識別と一定の指示とを可能にし、識別票のリール使用状況にもとづきリール終了予測、リール交換指示、チップ不適合等の事項１２２について識別・判別を行う。また識別部１２０は、工程制御情報１２３に基づいて工程制御装置１５０に対して工程制御を行う。工程制御は、例えば、工程の表面実装装置のチップ部品装着時におけるチャックの制御、プリント基板での実装部品の識別票による判別検査工程の制御、実装機の部品のハンドリング移動の制御などであり、多様である。
判別部１３０は、リール固有情報、プリント基板設計情報、プリント基板生産計画情報など（ブロック１３１）に基づいてリール使用状況の判別を行う。判別部１３０は、プリント基板生産台数、生産速度・効率、製造エラー情報ほか（ブロック１３２）を把握する。ブロック１３２に示された情報は、演算部１４０に提供される。
演算部１４０は、工程・設備固有情報、生産指示情報など（ブロック１４１）に基づいて、生産管理情報を演算し、管理統括を行う。
前述の読取部１１０、識別部１２０、判別部１３０、演算部１４０の各部分は独立し、あるいは連携できるように構成され、各種データは、任意に、表示、印刷、通信を行えるように構成されている。第１３図において示された複数の矢印の各々は、上記のこれらのデータのフローを表し、コンピュータ内の伝送または通信を表す。破線または一点鎖線で示されたブロックのグループは、それぞれの各部において必要なファイルや情報などを表している。
以上において本発明の代表的な実施の形態を説明したが、第１１図に示すように、識別票を多様の用途に利用可能で、用途に応じて要旨を逸脱しない限り変更可能である。例えば、水晶発振子、レーザー発振子などの小型部品の識別管理になどに変更して構成することができる。また表示困難な装飾品に識別票として使用できる。さらにプリント基板についての製造経歴書を識別票で記録することができる。
本発明に従えば、従来困難であった極小なスペースへの情報記録を可能にし、また記録された情報の認識と識別を可能にし、さらに検査、工程、装置の制御を可能にした。バーコードを精細化することにより、新たな使用と、カラーの記録媒体の機能を有用に活用する。
また本発明に従えば、困難であったリアルタイムな記録、データまたは情報の集計・記録・伝達・通信などにより、品質管理、コスト管理が可能である。通常の識別方法および識別手段に代えて使用できる。特に、複数のチップ部品を搭載するプリント基板の判別検査を容易にする。製品や部品の製造番号、工場名、ラインの製造時間、担当者などの任意の情報を調査可能にする。狭小・微細のスペースならびにトップテープ・部品搭載シートを有効活用できる。任意な部品の内容の記録・再生・伝達・通信・検査・管理をリアルタイムで可能にする。カセットと装置でカラーによる搭載部品の照合を容易にする。カラーを用いてアッセンブリ装置に使われる組立て部品の組立て工程と、そのチエックおよび管理を容易とし、経済効果大である。
産業上の利用可能性
微小な部品等で記録困難なスペースに情報記録を可能にし、チップ部品の認識・識別を行い、検査管理、工程管理、装置の制御や管理に利用可能である。部品に関連する識別票に基づき工程を管理できることから、リアルタイムに工程、棚卸、進捗、仕材管理を可能にする。経済効果は管理面から非常に大きい。
【図面の簡単な説明】
第１図は、パーツリールカセットに関連する装置の構成図である。
第２図は、パーツリールカセットにおけるトップテープのチップ部品の包装状態および形態を示す部分斜視図である。
第３図は、トップテープの識別マークの一例を示す斜視図である。
第４図は、パーツリールの一例を示す斜視図である。
第５図は、トップテープ、貼付シールの識別票の一例を示す斜視図である。
第６図は、表面実装部品の一例を示す斜視図である。
第７図は、極細線のバーコードによるカラーの代用例を示す斜視図である。
第８図は、チップ部品の識別マークの一例を拡大して示す図である。
第９図は、識別票の一例を拡大して示す図である。
第１０図は、表示の入出力および判別・検査を行う装置の外観斜視図である。
第１１図は、識別票の他の物への適用した例を示す図である。
第１２図は、識別票の作成のフローを示す工程図である。
第１３図は、識別票の読取りと演算処理のフローを示す工程図である。
【図１】
0004180381.tif 000002
【図２】
0004180381.tif 000003
【図３】
0004180381.tif 000004
【図４】
0004180381.tif 000005
【図５】
0004180381.tif 000006
【図６】
0004180381.tif 000007
【図７】
0004180381.tif 000008
【図８】
0004180381.tif 000009
【図９】
0004180381.tif 000010
【図１０】
0004180381.tif 000011
【図１１】
0004180381.tif 000012
【図１２】
0004180381.tif 000013
【図１３】
0004180381.tif 000014